(57)【要約】      （修正有）【課題】確実に差し込み片をスリットに挿入させて封止させることが可能な不正開封防止ケースを提供する。【解決手段】不正開封防止ケース１０は、一面を開口した身箱１１と、該身箱１１の開口部１２を閉塞する蓋１３とを含んで構成される。身箱１１又は蓋１３の何れか一方に、連設部１４と、該連設部１４を介して連設され、且つ該連設部１４から左右方向及び前方に張り出した差し込み部１５とを含んで成る差し込み片１６を設ける。他方の差し込み片１６が設けられていない身箱１１又は蓋１３は、差し込み片１６を挿入するスリット部１７を備えており、スリット部１７は、端縁１８をへの字状に折曲しており、差し込み部１５の両側端縁を、差し込み部１５に係る連設部１４側に位置する後端縁の前方で凸状に湾曲又は屈曲させている。【選択図】図５
0003179213.tif 000002
【実用新案登録請求の範囲】
【請求項１】
一面を開口した身箱(11)と、該身箱(11)の開口部(12)を閉塞する蓋(13)とを含んで構成される身蓋式の不正開封防止ケース(10)であって、
前記身箱(11)又は前記蓋(13)の何れか一方に、連設部(14)と、該連設部(14)を介して連設され、且つ該連設部(14)から左右方向及び前方に張り出した差し込み部(15)とを含んで成る差し込み片(16)が設けられ、
他方の前記差し込み片(16)が設けられていない前記身箱(11)又は前記蓋(13)は、前記差し込み片(16)を挿入するスリット部(17)を備えており、
前記スリット部(17)は、端縁(18)をへの字状に折曲しており、
前記差し込み部(15)の両側端縁(19)を、前記差し込み部(15)に係る前記連設部(14)側に位置する後端縁(20)の前方で凸状に湾曲又は屈曲させてなることを特徴とする不正開封防止ケース。
【請求項２】
請求項１に記載の不正開封防止ケースであって、
前記差し込み部(15)の両側端縁(19)間の幅(W1)が、各前記後端縁(20)間の幅(W2)より広いことを特徴とする不正開封防止ケース。
【請求項３】
請求項１に記載の不正開封防止ケースであって、
前記差し込み部(15)が、前記側縁端(19)から前記後端縁(20)にかけて面取りしてなることを特徴とする不正開封防止ケース。
【請求項４】
請求項１に記載の不正開封防止ケースであって、
前記差し込み部(15)が、前記側縁端(19)から前記後端縁(20)にかけて逆テーパー状に形成してなることを特徴とする不正開封防止ケース。
【請求項５】
請求項１から４のいずれか一に記載の不正開封防止ケースであって、
前記スリット部(17)の開口幅(W3)を、前記差し込み部(15)の両側端縁(19)間の幅(W1)よりも大きく形成してなることを特徴とする不正開封防止ケース。
【請求項６】
請求項１から５のいずれか一に記載の不正開封防止ケースであって、
前記スリット部(17)の中央部(21)に凸状部(26)を形成してなることを特徴とする不正開封防止ケース。
【請求項７】
請求項１から６のいずれか一に記載の不正開封防止ケースであって、
前記連設部にハーフカット加工を施してなることを特徴とする不正開封防止ケース。
【請求項８】
請求項１から７のいずれか一に記載の不正開封防止ケースであって、
前記スリット部(17)にジッパー(22)を連設してなることを特徴とする不正開封防止ケース。
【考案の詳細な説明】
【技術分野】
【０００１】
本考案は、包装用箱に収容した商品の抜き取りやすり替えを防止すると共に、仮に開封行為があった場合には直ちに判明するようにした不正開封防止ケースに関する。
【背景技術】
【０００２】
従来より、商品を収容する包装用箱にあっては、流通過程や展示販売時における商品の抜き取りやすり替えといった悪戯を防止すると共に、開封が行われた場合にはこれを直ちに確認できるようするために、本体と蓋との間にシールを貼り付けている例が散見される。ところが、このシール代金とこれを貼り付ける人件費が包装用箱の原価を上昇させることとなっている。包装用箱については、可能な限り自動化が進められているものの、小さなシールを一枚一枚貼り付ける作業は自動化が困難であり、人手に頼っているのが現状であり、機械化する場合には大きな設備投資が必要となる。
【０００３】
このような状況に鑑み、本願出願人は図１に示すような不正開封防止ケースＸを開発した（特許文献１）。この不正開封防止ケースＸは、第一乃至第四側壁片１，２，３，４と糊代片５とを折り畳み線ａ，ｂ，ｃ，ｄを介して連設し、上記各側壁片１，２，３，４の下端に底フラップＨ，Ｉ，Ｊ，Ｋと、上端に蓋フラップＯ，Ｐ，Ｑ，Ｒとを、それぞれ折り畳み線ｈ，ｉ，ｊ，ｋと折り畳み線ｏ，ｐ，ｑ，ｒを介して連設し、向き合う側壁の内側蓋フラップＯ，Ｑの折り畳み線ｏ，ｑと、他の向き合う側壁の外側蓋フラップＰ，Ｒの折り畳み線ｐ，ｒとの間には微小段差ｚを設け、上記外側蓋フラップの内、先に折り畳むフラップＲの折り畳み線ｒを跨ぐようにして側壁片４側に向けて末広がりで、かつ、蓋フラップ側の端を繋いだスリットｔを形成し、後から折り畳む蓋フラップＰの長さを、上記スリットｔを設けた折り畳み線ｒにとどく長さとし、その端に折り畳み線ｓを介して差し込み片Ｓを連設し、該差し込み片Ｓの両端から折り畳み線ｓを跨ぐように切り込み部ｕを設けている。
【０００４】
この不正開封防止ケースＸは、図２に示すように蓋フラップＰが嵌め殺し構造となるので、ケースを開封するには、蓋フラップＲの折り畳み線ｓ側に設けた引き裂きジッパーｖを引き裂かねば開封することができない。従って、不正開封防止ケースＸに収容した商品を抜き取ったり、すり替えたりするには、上記引き裂きジッパーｖを引き裂かねばならないため、不正な開封行為があったときは直ちに判明することとなる。
【先行技術文献】
【特許文献】
【０００５】
【特許文献１】実用新案登録第３１０２８１１号
【考案の概要】
【考案が解決しようとする課題】
【０００６】
この不正開封防止ケースＸは、図３に示すように蓋フラップＰの差し込み片Ｓをスリットｔに挿入し、差し込み片Ｓの両端の角部ｗがスリットｔのエッジＥＤ（図３において斜線で示す）に引っ掛かって係止されることにより封止される。しかしながら、蓋フラップＰの差し込み片Ｓをスリットｔに挿入する際、差し込み片Ｓのスリットｔへの挿入が不十分であると、図４に示すように、差し込み片Ｓの両端の角部ｗがスリットｔに引っ掛かってしまい（図４において黒塗りで示す）、差し込み片Ｓをスリットｔに係止することができない場合があった。この場合は、一見差し込み片Ｓがスリットｔに挿入されて蓋フラップＰが嵌め殺し構造となっているように見えても、差し込み片Ｓとスリットｔとの係合がなされていない又は不十分であるため、差し込み片Ｓをスリットｔから抜くことが可能となり、不正開封が生じても検知できない事態となる。特に図４に示すように引っ掛かり部分の大きさが僅かであるため、このような不十分な挿入を一見して判断できず、確認作業を困難とする。また、このような不十分な挿入を防止するために、完全な挿入を確認する必要が生じ、不正開封防止ケースの組立作業が煩雑化するという問題もあった。
【０００７】
本考案は、従来のこのような問題点に鑑みてなされたものである。本考案の主な目的は、確実に差し込み片をスリットに挿入させて封止させることが可能な不正開封防止ケースを提供することにある。
【課題を解決するための手段】
【０００８】
以上の目的を達成するため、本考案は、一面を開口した身箱１１と、該身箱１１の開口部１２を閉塞する蓋１３とを含んで構成される身蓋式の不正開封防止ケース１０であって、前記身箱１１又は前記蓋１３の何れか一方に、連設部１４と、該連設部１４を介して連設され、且つ該連設部１４から左右方向及び前方に張り出した差し込み部１５とを含んで成る差し込み片１６が設けられ、他方の前記差し込み片１６が設けられていない前記身箱１１又は前記蓋１３は、前記差し込み片１６を挿入するスリット部１７を備えており、前記スリット部１７は、端縁１８をへの字状に折曲しており、前記差し込み部１５の両側端縁１９を、前記差し込み部１５に係る前記連設部１４側に位置する後端縁２０の前方で凸状に湾曲又は屈曲させてなることを特徴とする。
【０００９】
また、本考案の不正開封防止ケースにおいて、前記差し込み部１５の両側端縁１９間の幅Ｗ１が、各前記後端縁２０間の幅Ｗ２より広いことを特徴とする。
【００１０】
更に、本考案の不正開封防止ケースにおいて、前記差し込み部１５が、前記側縁端１９から前記後端縁２０にかけて面取りしてなることを特徴とする。
【００１１】
また、本考案の不正開封防止ケースにおいて、前記差し込み部１５が、前記側縁端１９から前記後端縁２０にかけて逆テーパー状に形成してなることを特徴とする。
【００１２】
更に、本考案の不正開封防止ケースにおいて、前記スリット部１７の開口幅Ｗ３を、前記差し込み部１５の両側端縁１９間の幅Ｗ１よりも大きく形成してなることを特徴とする。
【００１３】
また、本考案の不正開封防止ケースにおいて、前記スリット部１７の中央部２１に凸状部２６を形成してなることを特徴とする。
【００１４】
また、本考案の不正開封防止ケースにおいて、前記連設部にハーフカット加工を施してなることを特徴とする。
【００１５】
更に、本考案の不正開封防止ケースにおいて、前記スリット部１７にジッパー２２を連設してなることを特徴とする。
【考案の効果】
【００１６】
本考案の不正開封防止ケースの構成によると、スリット部のへの字状の部分と差し込み片に係る後端縁の間での係合不良を回避して確実に差し込み片をスリット部に係止でき、蓋の閉塞の信頼性を高めることができる。特に、身蓋式のケースに本考案の構成を採用することによって、身箱に対して蓋が少なくとも３方向から被さるため、スリット部に挿入された差し込み片に左右方向の力が作用し難くなり、差し込み片の破断やスリット部からの差し込み片の脱落を確実に回避することが可能となる。
【００１７】
また、本考案の不正開封防止ケースの構成において、スリット部の開口幅を差し込み部の両側端縁間の幅よりも大きく形成することによって、差し込み片をスリット部に挿入しやすくできる。すなわち従来であれば、差し込み片をスリット部の開口よりも大きくして抜け難くしているところ、これではスリット部への挿入がきつくなるため、作業性が悪く、ケースに皺が生じる等の問題もあった。これに対し、スリット部を大きくしたことで挿入作業の作業性を向上できる上、差し込み片の脱落はその側端縁形状によって効果的に阻止でき、信頼性を高めつつも作業性を改善することができる。
【００１８】
更に、本考案の不正開封防止ケースの構成において、スリット部の中央部に凸状部を形成することによって、差し込み片のスリット部への挿入作業の作業性を向上できる。
【００１９】
また、本考案の不正開封防止ケースの構成において、連設部にハーフカット加工を施すことによって、差し込み片を連設部で容易に折り曲げることができる。
【００２０】
また、本考案の不正開封防止ケースの構成において、スリット部にジッパーを連設し、開封時に当該ジッパーを破断することによって、差し込み片とスリット部との係合状態を容易に解除でき、開封作業が簡便になると共に、ジッパーの破断によって開封されたか否かが一目で確認できる。
【図面の簡単な説明】
【００２１】
【図１】本願出願人が先に開発した不正開封防止ケースを示す展開図である。
【図２】図１（ａ）は図ａの差し込み片の折り畳み前、図２（ｂ）は折り畳み後を示す斜視図である。
【図３】図１の差し込み片をスリットに挿入する状態を示す拡大図である。
【図４】図３の差し込み片をスリットに挿入した状態を示す拡大図である。
【図５】本考案の実施例１に係る不正開封防止ケースを示す斜視図である。
【図６】図５の不正開封防止ケースの展開図である。
【図７】図５の差し込み片をスリットに挿入する状態を示す拡大図である。
【図８】図７の差し込み片をスリットに挿入した状態を示す拡大図である。
【図９】変形例に係る差し込み片を示す拡大平面図である。
【図１０】変形例に係る差し込み片を示す拡大平面図である。
【図１１】図１１（ａ）は本考案の実施例２に係る不正開封防止ケースを示す斜視図、図１１（ｂ）は身箱に蓋を被せた状態を示す側面図である。
【図１２】図１１の不正開封防止ケースの展開図である。
【図１３】本考案の実施例３に係る不正開封防止ケースを示す斜視図である。
【図１４】図１３の不正開封防止ケースの展開図である。
【図１５】本考案の実施例４に係る不正開封防止ケースを示す斜視図である。
【図１６】図１５の不正開封防止ケースの展開図である。
【図１７】本考案の実施例５に係る不正開封防止ケースを示す斜視図である。
【図１８】図１７の不正開封防止ケースの展開図である。
【考案を実施するための形態】
【００２２】
以下、本考案の実施の形態を図面に基づいて説明する。ただし、以下に示す実施の形態は、本考案の技術思想を具体化するための不正開封防止ケースを例示するものであって、本考案は不正開封防止ケースを以下のものに特定しない。さらに、本明細書においては、実用新案登録請求の範囲を理解しやすいように、実施例に示される部材に対応する番号を、「実用新案登録請求の範囲」および「課題を解決するための手段」の欄に示される部材に付記している。ただ、実用新案登録請求の範囲に示される部材を、実施の形態の部材に特定するものでは決してない。特に実施の形態に記載されている構成部材の寸法、材質、形状、その相対的配置等は、特定的な記載がない限りは、本考案の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本考案を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
（実施例１）
【００２３】
本考案の実施例１の形態に係る不正開封防止ケース１０を図５及び図６に示す。図５は不正開封防止ケース１０の斜視図であるが、同図に示すように、本実施例１に係る不正開封防止ケース１０は、一面を開口した身箱１１と、身箱１１の開口部１２を閉塞する蓋１３とを含んで構成される身蓋式のケースである。
【００２４】
図６は、図５に示した不正開封防止ケース１０の展開図である。不正開封防止ケース１０に係る身箱１１は、矩形の底３０と、底３０の周囲に各々折り目線３１、３２を介して延設される側壁片３３、３４とから主に構成されている。そして、図６に表れている底３０が身箱１１の外側になるとした場合、各折り目線３１、３２を各々山折りにすることによって、側壁片３３、３４が重なった状態で側壁３５が形成されることとなる。
【００２５】
一方の蓋１３は、矩形の天板３６と、天板３６の周囲に各々折り目線３７、３８を介して延設される側壁片３９、４０とから主に構成されている。そして、図６に表れている天板３６が蓋１３の外側になるとした場合、各折り目線３７、３８を各々山折りにすることによって、側壁片３９、４０が重なった状態で側壁４１が形成されることとなる。
【００２６】
更に本実施例１に係る蓋１３には、差し込み片１６が２箇所に設けられている。この差し込み片１６は、連設部１４と、この連設部１４を介して連設され、且つ連設部１４から左右方向及び前方に張り出した差し込み部１５とを含んでなる。ここで、本実施例１の不正開封防止ケース１０に係る差し込み片１６の構成を図７の拡大図によって詳述すると、差し込み片１６に係る差し込み部１５の両側端縁１９、１９は、差し込み部１５における連設部１４側に位置する後端縁２０の前方で凸状に湾曲させてなる。つまり、差し込み部１５の両側端縁１９、１９間の幅Ｗ１が、後端縁２０、２０間の幅Ｗ２より広くなるように構成されている。なお、本実施例１に係る差し込み片１６では、後述するスリット部１７への差し込み片１６の挿入を容易にするため、連設部１４にハーフカットＨＣを施すと共に、連設部１４から差し込み部１５とは反対方向に切れ目２４が形成されている。
【００２７】
また、本実施例１の不正開封防止ケース１０に係る身箱１１には、差し込み片１６が挿入されるスリット部１７が２箇所に設けられている。より具体的には、身箱１１に係る折り目線３１を跨ぐようにしてスリット部１７が形成されており、折り目線３１で側壁片３３を山折りにしたときに、折り目線３１に沿ってスリット部１７に係るスリット（隙間）が現れることと成る。そして、スリット部１７の端縁１８はへの字状に折曲されている。
【００２８】
更に、スリット部１７の開口幅Ｗ３は、差し込み片１６に係る差し込み部１５の両側端縁１９、１９間の幅Ｗ１よりも大きく形成されている。また更に、スリット部１７にはジッパー２２が連設されている。
【００２９】
以上の構成からなる本実施例１に係る不正開封防止ケース１０によると、図８に示すように、身箱１１に蓋１３を被せた状態でスリット部１７へ差し込み片１６に係る差し込み部１５を挿入する。すると、差し込み部１５の両側端縁１９、１９は、差し込み部１５に係る後端縁２０の前方で凸状に湾曲しているため、スリット部１７のへの字状の部分と差し込み部１５に係る後端縁２０とが確実に係合し、差し込み片１６をスリット部１７に容易且つ確実に係止することができる。また、不正開封防止ケース１０が身蓋式のケースであるため、身箱１１に対して蓋１３が外嵌されることによって蓋１３の横方向への動きが規制されるため、スリット部１７に挿入された差し込み片１６に左右方向の力が作用し難くなり、差し込み片１６の破断やスリット部１７からの差し込み片１６の脱落を確実に回避することが可能となる。
【００３０】
更に、本実施例１に係る差し込み片１６は、連設部１４にハーフカットＨＣを備えると共に、連設部１４から差し込み部１５とは反対方向に切れ目２４を備えているため、差し込み片１６を連設部１４で容易に折り曲げることができ、スリット部１７への差し込み片１６の挿入が簡便となる。
【００３１】
また、本実施例１に係るスリット部１７の開口幅Ｗ３を差し込み部１５の両側端縁１９、１９間の幅Ｗ１よりも大きく形成することによって、差し込み片１６をスリット部１７に挿入しやすくできる。
【００３２】
更に、本実施例１に係る差し込み片１６は、差し込み部１５に係る側端縁１９の形状によってスリット部１７からの脱落が効果的に阻止される。そして、本実施例１では、スリット部１７にジッパー２２が連設されているため、開封時にジッパー２２を破断することによって、差し込み片１６とスリット部１７との係合状態を容易に解除でき、開封作業が簡便になると共に、ジッパー２２の破断によって開封されたか否かが一目で確認できる。
【００３３】
以上、本考案の実施例１に係る不正開封防止ケース１０について詳述したが、本考案に係る差し込み片の形状は、この不正開封防止ケース１０で示した差し込み片１６の形状に限定されるものではない。
【００３４】
例えば、図９に示す差し込み片１６ａのように、差し込み部１５が、側縁端１９から後端縁２０にかけて面取りしてなる態様であってもよい。この差し込み片１６ａは、差し込み部１５の側端縁１９が、差し込み部１５に係る連設部１４側に位置する後端縁２０の前方で凸状に屈曲した形態となり、差し込み部１５の両側端縁１９、１９間の幅Ｗ１は、後端縁２０、２０間の幅Ｗ２より広く構成されることとなる。
【００３５】
そして、差し込み片１６ａのような態様であっても、差し込み部１５の両側端縁１９、１９は、差し込み部１５に係る後端縁２０の前方で凸状に屈曲しているため、スリット部１７のへの字状の部分と差し込み部１５に係る後端縁２０とが確実に係合し、差し込み片１６ａをスリット部１７に容易且つ確実に係止することができると共に、スリット部１７からの脱落が効果的に阻止される。
【００３６】
また、図１０に示す差し込み片１６ｂのように、差し込み部１５が、側縁端１９から後端縁２０にかけて逆テーパー状に形成してなる態様であってもよい。この差し込み片１６ｂも、差し込み部１５の側端縁１９が、差し込み部１５に係る連設部１４側に位置する後端縁２０の前方で凸状に屈曲した形態となり、差し込み部１５の両側端縁１９、１９間の幅Ｗ１は、後端縁２０、２０間の幅Ｗ２より広く構成されることとなる。
【００３７】
そして、差し込み片１６ｂのような態様であっても、差し込み部１５の両側端縁１９、１９は、差し込み部１５に係る後端縁２０の前方で凸状に屈曲しているため、スリット部１７のへの字状の部分と差し込み部１５に係る後端縁２０とが確実に係合し、差し込み片１６ｂをスリット部１７に容易且つ確実に係止することができると共に、スリット部１７からの脱落が効果的に阻止される。
【００３８】
以上、本考案の不正開封防止ケースに係る差し込み片の種々の態様について詳述したが、本考案の実施例は上記のものに限定されない。
（実施例２）
【００３９】
次に、本考案の実施例２の形態に係る不正開封防止ケース１０ａを、図１１及び図１２に示す。図１１（ａ）は不正開封防止ケース１０ａの斜視図であるが、同図に示すように、本実施例２に係る不正開封防止ケース１０ａは、実施例１に係る不正開封防止ケース１０と略同様の構成を備える身蓋式のケースである。
【００４０】
ここで、実施例２に係る蓋１３は、構成そのものは実施例１と略同様であるが、天板３６の周囲に各々折り目線３７、３８を介して延設される側壁片３９、４０の高さ、すなわち側壁４１の高さが身箱１１に係る側壁３５の高さより低く設定されている。つまり、図１１（ｂ）に示すように、実施例２に係る身箱１１に蓋１３を被せた際に、蓋１３の側壁４１の下端から身箱１１の側壁３５が露出した状態となる。
【００４１】
そこで、蓋１３に設けられる差し込み片１６ｃを挿入するためのスリット部１７ａが、身箱１１に係る相対する側壁片３３、３３にそれぞれ１箇所設けられている。更に、この側壁片３３に設けられたスリット部１７ａの中央部２１には、凸状部２６が形成されている。なお、本実施例２に係る差し込み片１６ｃは、差し込み部１５と連設部１４ａとで構成され、連設部１４ａは、差し込み部１５が連設されている側と反対側、すなわち折り目線３８側が幅広に形成されている。
【００４２】
以上の構成から成る本実施例２に係る不正開封防止ケース１０ａによると、実施例１の不正開封防止ケース１０と同様の効果が得られると共に、蓋１３を形成するための原紙の使用量を削減することができる。
【００４３】
また、スリット部１７ａが側壁片３３に設けられることによって、差し込み片１６ｃをスリット部１７ａへ挿入する作業は、実施例１の場合に比べて困難となるが、スリット部１７ａの中央部２１に凸状部２６を形成することによって、差し込み片１６ｃの挿入作業の作業性を向上することができる。
【００４４】
更に、本実施例２では、差し込み片１６ｃに係る連設部１４ａに押し込み片２５が連設され、押し込み片２５の周縁に破断線２３が施されると共に、連設部１４ａに係る折り目線３８に接する側が幅広に形成されている。このような構成とすることによって、押し込み片２５を押し込むことで押し込み片２５が破断線２３で破断され、蓋１３から押し込み片２５と共に差し込み片１６ｃが分離されるため、差し込み片１６ｃとスリット部１７ａとの係合状態を維持したままで蓋１３を開封することができ、開封作業が簡便になると共に、押し込み片２５の破断によって開封されたか否かが一目で確認できる。
（実施例３）
【００４５】
本考案の実施例３の形態に係る不正開封防止ケース１０ｂを図１３及び図１４に示す。図１３は不正開封防止ケース１０ｂの斜視図であるが、同図に示すように、本実施例３に係る不正開封防止ケース１０ｂは、実施例２に係る不正開封防止ケース１０ａと略同様の構成を備える身蓋式のケースである。
【００４６】
ここで、実施例３に係る差し込み片１６ｃにおいては、図１４の展開図に示すように、差し込み片１６ｃに係る差し込み部１５の先端から２本の切り込み線２３’が末広がりに形成されている。これにより、差し込み片１６ｃを引き起こし易くできる利点が得られる。すなわち、製函機にて箱組みする際に、差込み片１６ｃは折り畳まれた状態で箱の内側に巻き込まれるところ、これを梱包する時に作業者が２本の切り込み線２３’を指孔のように利用でき、差し込み片１６ｃを引き起こし易くできる。さらに図１３、図１４に示すように、差し込み片１６ｃを折曲し易くするために、折曲線をハーフカットＨＣとしている。
（実施例４）
【００４７】
本考案の実施例４の形態に係る不正開封防止ケース１０ｃを図１５及び図１６に示す。図１５は不正開封防止ケース１０ｃの斜視図である。同図に示すように、本実施例４に係る不正開封防止ケース１０ｃも身蓋式のケースではあるが、身箱１１と蓋１３とが連設された一体式のケースとなっている。具体的には、図１６の展開図に示すように、底３０と天板３６との間に側壁４２が介在しており、折り目線３１及び折り目線３７をそれぞれ山折りすることによって側壁４２が形成されることとなる。
【００４８】
そして、蓋１３側の側壁４１に差し込み片１６が１箇所設けられ、身箱１１側の側壁３５に差し込み片１６が挿入されるスリット部１７が１箇所設けられており、身箱１１に蓋１３を被せ、スリット部１７へ差し込み片１６を挿入することによって、本実施例４に係る不正開封防止ケース１０ｃを閉塞することができる。
【００４９】
更に、本実施例４に係る不正開封防止ケース１０ｃにおいても、身箱１１に蓋１３を被せることによって、側壁４２以外の３方向において身箱１１に係る側壁３５に蓋１３に係る側壁４１が外嵌されるため、スリット部１７に挿入された差し込み片１６に左右方向の力が作用し難くなり、差し込み片１６の破断やスリット部１７からの差し込み片１６の脱落を確実に回避することが可能となる。
【００５０】
以上、本考案の種々の実施例について説明したが、本考案の不正開封防止ケースにおいて差し込み片及びスリット部が設けられるのは、実施例１から実施例４に係る不正開封防止ケース１０，１０ａ，１０ｂ，１０ｃで例示された形態、すなわち蓋１３に差し込み片１６又は１６ｃが設けられ、身箱１１にスリット部１７又は１７ａが設けられる形態に限定されるものではない。
（実施例５）
【００５１】
本考案の実施例５の形態に係る不正開封防止ケース１０ｄは、図１７の斜視図及び図１８の展開図に示すように、蓋１３にスリット部１７が形成され、身箱１１に差し込み片１６が形成されている。つまり、上記の実施例１に係る不正開封防止ケース１０と、差し込み片１６及びスリット部１７の形成されている場所が逆になっているのである。
【００５２】
従って、本実施例５に係る不正開封防止ケース１０ｄは、単に実施例１に係る不正開封防止ケース１０と差し込み片１６及びスリット部１７の形成されている場所が逆になっているだけなので、実施例１に係る不正開封防止ケース１０の備える効果が得られるのである。
【００５３】
また、他の実施例２から実施例４に係る不正開封防止ケース１０ａ，１０ｂ，１０ｃの形態においても、差し込み片１６又は１６ｃを蓋１３ではなく身箱１１に設け、スリット部１７又は１７ａを身箱１１ではなく蓋１３に設けることも可能であり、このような形態であっても、実施例２から実施例４と同様の効果が得られる。
【産業上の利用可能性】
【００５４】
本考案に係る不正開封防止ケースは、飲食料品や日用品等を収納する際に使用する不正開封防止ケースとして、好適に利用できる。
【符号の説明】
【００５５】
１，２，３，４…側壁片
５…糊代片
１０，１０ａ，１０ｂ，１０ｃ，１０ｄ，Ｘ…不正開封防止ケース
１１…身箱
１２…開口部
１３…蓋
１４，１４ａ…連設部
１５…差し込み部
１６，１６ａ，１６ｂ，１６ｃ，Ｓ…差し込み片
１７，１７ａ…スリット部
１８…スリット部の端縁
１９…差し込み部の側端縁
２０…差し込み部の後端縁
２１…スリット部の中央部
２２…ジッパー
２３…破断線；２３’…切り込み線
２４…切れ目
２５…押し込み部
２６…凸状部
３０…底
３１，３２，３７，３８…折り目線
３３，３４，３９，４０…側壁片
３５，４１，４２…側壁
３６…天板
ａ，ｂ，ｃ，ｄ，ｈ，ｉ，ｊ，ｋ，ｏ，ｐ，ｑ，ｒ，ｓ…折り畳み線
ｕ…切り込み部
Ｈ，Ｉ，Ｊ，Ｋ…底フラップ
Ｏ，Ｐ，Ｑ，Ｒ…蓋フラップ
ｔ…スリット
ＥＤ…エッジ
ｖ…引き裂きジッパー
ｗ…角部
ｚ…微小段差
Ｗ１…差し込み部の両側端縁間の幅
Ｗ２…差し込み部の両後端縁間の幅
Ｗ３…スリット部の開口幅
ＨＣ…ハーフカット
【図１】
0003179213.tif 000003
【図２】
0003179213.tif 000004
【図３】
0003179213.tif 000005
【図４】
0003179213.tif 000006
【図５】
0003179213.tif 000007
【図６】
0003179213.tif 000008
【図７】
0003179213.tif 000009
【図８】
0003179213.tif 000010
【図９】
0003179213.tif 000011
【図１０】
0003179213.tif 000012
【図１１】
0003179213.tif 000013
【図１２】
0003179213.tif 000014
【図１３】
0003179213.tif 000015
【図１４】
0003179213.tif 000016
【図１５】
0003179213.tif 000017
【図１６】
0003179213.tif 000018
【図１７】
0003179213.tif 000019
【図１８】
0003179213.tif 000020